(57)【要約】【課題】  ビデオ信号出力端子に接続されたテレビモニタで鑑賞中の映像を中断させることなく、次に再生する動画像を選択できるようにする。【解決手段】  ＤＶＤディスクＤ１から複数のデータを再生することが可能な再生手段を有し、ビデオ信号出力端子Ｖ２にビデオ信号を出力して、前記ビデオ信号出力端子Ｖ２に接続されたテレビモニタＴＶにおいて映像を再生している時においても、本体に搭載された液晶パネルＶ１には、前記ビデオ信号出力端子Ｖ２に出力している映像とは別の映像である再生リストを表示することができるようにして、前記外部接続されたテレビモニタＴＶで動画像を鑑賞しながら前記液晶パネルＶ１に表示される再生リストから次に再生する映像を選択して確認できるようにする。【選択図】  図４
2005198165.tif 000002
【特許請求の範囲】
【請求項１】
記録媒体から複数の画像データを再生する再生手段と、
前記再生手段により再生された画像データに係る画像を表示する表示部と、
前記再生された画像データを外部表示機器に出力する出力部と、
前記再生手段により再生された複数の画像データを、前記表示部と前記外部表示機器と独立に表示すべく別々に出力するデータ出力手段とを備えることを特徴とする画像再生装置。
【請求項２】
記録媒体から複数の画像データを再生する再生手段と、
前記再生手段により再生された画像データに係る画像を表示する表示部と、
前記再生された画像データを外部表示機器に出力する出力部と、
前記記録媒体に記録されている複数の画像データを示すデータリストを前記表示部に表示しながら、前記複数のデータのうち選択されて再生された画像データを前記出力部より出力する出力制御手段とを備えることを特徴とする画像再生装置。
【請求項３】
前記出力制御手段により表示されたデータリストの中から任意の画像データを選択して、前記再生手段により前記記録媒体から再生させる画像データ選択手段を備えたことを特徴とする請求項２に記載の画像再生装置。
【請求項４】
前記再生手段は、映像信号の単位時間を時分割して複数の画像データの処理を行うことにより複数系統の映像信号を作成することを特徴とする請求項１または２に記載の画像再生装置。
【請求項５】
前記出力制御手段は、前記記録媒体内の画像データの縮小画像または画像名称のうち、１つまたは複数を前記表示部に表示することを特徴とする請求項２に記載の画像再生装置。
【請求項６】
前記出力制御手段は、再生画像データに画像情報を重畳して前記表示部に表示することを特徴とする請求項２に記載の画像再生装置。
【請求項７】
前記出力制御手段は、前記記録媒体内に予め記録されている再生用のデータリストを読み込んで前記表示部に表示することを特徴とする請求項２に記載の画像再生装置。
【請求項８】
前記出力制御手段は、前記出力部へ再生画像を出力している時に、前記出力部へ出力している再生画像の状態を変えること無く、前記表示部にデータリストを表示可能であることを特徴とする請求項２に記載の画像再生装置。
【請求項９】
前記出力制御手段は、前記表示部へ再生画像を出力している時に、前記表示部へ出力している再生画像の状態を変えること無く、前記出力部へデータリストを出力可能であることを特徴とする請求項２に記載の画像再生装置。
【請求項１０】
記録媒体から複数の画像データを再生する再生手段と、前記再生処理により再生された画像データに係る画像を表示する表示部と、前記再生された画像データを外部表示機器に出力する出力部とを有する画像再生装置における画像再生方法であって、
前記再生手段により再生された複数の画像データを、前記表示部と前記外部表示機器と独立に表示すべく別々に出力するデータ出力処理を備えることを特徴とする画像再生方法。
【請求項１１】
記録媒体から複数の画像データを再生する再生手段と、前記再生処理により再生された画像データに係る画像を表示する表示部と、前記再生された画像データを外部表示機器に出力する出力部とを有する画像再生装置における画像再生方法であって、
前記記録媒体に記録されている複数の画像データを示すデータリストを前記表示部に表示しながら、前記複数のデータのうち選択されて再生された画像データを前記出力部より出力する出力制御処理を備えることを特徴とする画像再生方法。
【請求項１２】
前記出力制御処理により表示されたデータリストの中から任意の画像データを選択して、前記再生処理により前記記録媒体から再生させる画像データ選択処理を備えたことを特徴とする請求項１１に記載の画像再生方法。
【請求項１３】
記録媒体から複数の画像データを再生する再生手段と、前記再生処理により再生された画像データに係る画像を表示する表示部と、前記再生された画像データを外部表示機器に出力する出力部とを有する画像再生装置における画像再生方法を実行させるプログラムであって、
前記再生手段により再生された複数の画像データを、前記表示部と前記外部表示機器と独立に表示すべく別々に出力するデータ出力処理をコンピュータに実行させることを特徴とするコンピュータプログラム。
【請求項１４】
記録媒体から複数の画像データを再生する再生手段と、前記再生処理により再生された画像データに係る画像を表示する表示部と、前記再生された画像データを外部表示機器に出力する出力部とを有する画像再生装置における画像再生方法をコンピュータに実行させるプログラムであって、
前記記録媒体に記録されている複数の画像データを示すデータリストを前記表示部に表示しながら、前記複数のデータのうち選択されて再生された画像データを前記出力部より出力する出力制御処理をコンピュータに実行させることを特徴とするコンピュータプログラム。
【請求項１５】
前記請求項１３または１４に記載のコンピュータプログラムを記録したことを特徴とするコンピュータ読み取り可能な記録媒体。
【発明の詳細な説明】
【技術分野】
【０００１】
本発明は画像再生装置、画像再生方法、コンピュータプログラム及びコンピュータ読み取り可能な記録媒体に関し、特に、動画および静止画を記録媒体に記録することが可能なデジタルカメラ、あるいはカメラ一体型ＤＶＤレコーダー（ＤＶＤビデオカメラ）等の記録再生装置に関するものである。
【背景技術】
【０００２】
従来、ＤＶＤビデオカメラ等の記録再生装置においては、記録媒体に記録されている内容のリスト表示を行い、前記表示されたリストの中から再生する映像を選択して動画の再生を行うようにしている。前記ＤＶＤビデオカメラでは、撮影時に使用されるビューファインダーや液晶パネル等の表示装置が本体に搭載されており、再生時には前記液晶パネルにて再生を行えるように構成されているとともに、テレビモニタなどのような外部の表示装置に画像データを出力して表示するための外部出力端子も備えている。
【０００３】
前記液晶パネルに表示される画像は、テレビモニタに表示される画像と同様の画像であり、再生リストを表示して再生する画像を選択する場合においては、前記液晶パネルやテレビモニタの画面を見ながら操作を行うことができるように構成されている。このようなシステムは、例えば特許文献１の「ＤＶＤメニュー表示システム」において提案されている。
【０００４】
【特許文献１】特開２００１−３１２８８０号公報
【発明の開示】
【発明が解決しようとする課題】
【０００５】
前述したように、前記従来例では、液晶パネルに表示される画像と、テレビモニタに表示される画像とが同じであるため、テレビモニタで映像を鑑賞中に再生リストの表示を行い、次に再生する映像の内容を確認して選択するためには、現在再生中の映像をいったん中断している。
【０００６】
次に、再生する映像を再生リストととして表示を行うようにし、表示された再生リストの中から選択しなければならず、映像の鑑賞を中断しないで次に再生する映像を選択することはできなかった。
本発明は前述の問題点にかんがみ、テレビモニタで鑑賞中の映像を中断させることなく、次に再生する画像を選択できるようにすることを目的とする。
【課題を解決するための手段】
【０００７】
本発明の画像再生装置は、記録媒体から複数の画像データを再生する再生手段と、
前記再生手段により再生された画像データに係る画像を表示する表示部と、前記再生された画像データを外部表示機器に出力する出力部と、前記再生手段により再生された複数の画像データを、前記表示部と前記外部表示機器と独立に表示すべく別々に出力するデータ出力手段とを備えることを特徴としている。
また、本発明の他の特徴とするところは、記録媒体から複数の画像データを再生する再生手段と、前記再生手段により再生された画像データに係る画像を表示する表示部と、
前記再生された画像データを外部表示機器に出力する出力部と、前記記録媒体に記録されている複数の画像データを示すデータリストを前記表示部に表示しながら、前記複数のデータのうち選択されて再生された画像データを前記出力部より出力する出力制御手段とを備えることを特徴としている。
【０００８】
本発明の画像再生方法は、記録媒体から複数の画像データを再生する再生手段と、前記再生処理により再生された画像データに係る画像を表示する表示部と、前記再生された画像データを外部表示機器に出力する出力部とを有する画像再生装置における画像再生方法であって、前記再生手段により再生された複数の画像データを、前記表示部と前記外部表示機器と独立に表示すべく別々に出力するデータ出力処理を備えることを特徴としている。
また、本発明の他の特徴とするところは、記録媒体から複数の画像データを再生する再生手段と、前記再生処理により再生された画像データに係る画像を表示する表示部と、前記再生された画像データを外部表示機器に出力する出力部とを有する画像再生装置における画像再生方法であって、前記記録媒体に記録されている複数の画像データを示すデータリストを前記表示部に表示しながら、前記複数のデータのうち選択されて再生された画像データを前記出力部より出力する出力制御処理を備えることを特徴としている。
【０００９】
本発明のコンピュータプログラムは、記録媒体から複数の画像データを再生する再生手段と、前記再生処理により再生された画像データに係る画像を表示する表示部と、前記再生された画像データを外部表示機器に出力する出力部とを有する画像再生装置における画像再生方法を実行させるプログラムであって、前記再生手段により再生された複数の画像データを、前記表示部と前記外部表示機器と独立に表示すべく別々に出力するデータ出力処理をコンピュータに実行させることを特徴としている。
また、本発明の他の特徴とするところは、記録媒体から複数の画像データを再生する再生手段と、前記再生処理により再生された画像データに係る画像を表示する表示部と、前記再生された画像データを外部表示機器に出力する出力部とを有する画像再生装置における画像再生方法をコンピュータに実行させるプログラムであって、前記記録媒体に記録されている複数の画像データを示すデータリストを前記表示部に表示しながら、前記複数のデータのうち選択されて再生された画像データを前記出力部より出力する出力制御処理をコンピュータに実行させることを特徴としている。
【００１０】
本発明の記録媒体は、前記に記載のコンピュータプログラムを記録したことを特徴としている。コンピュータ読み取り可能な記録媒体。
【発明の効果】
【００１１】
本発明によれば、データ再生手段により複数の画像データを再生し、これら複数の画像データを、本体に設けられている表示部と外部出力端子とに別々に出力可能としたので、前記表示部に表示する画面と、前記外部出力端子に接続される外部表示装置に表示される画面の各々を独立的に表示制御することが可能となる。これにより、前記外部出力端子を介してラインアウトした本画像を前記外部表示装置にて鑑賞しているときに、画像再生装置本体に付属している表示部には、次に再生するデータリストを表示することができる。
また、本発明の他の特徴によれば、次に再生する画像を前記表示部上において選択することが可能となり、次に再生する映像を選択して確認する操作を、前記外部表示装置で行っている画像鑑賞を中断することなく実行することができる。
【発明を実施するための最良の形態】
【００１２】
次に、図面を参照しながら本発明の画像再生装置、画像再生方法、コンピュータプログラム及びコンピュータ読み取り可能な記録媒体の実施の形態を説明する。
（第１の実施の形態）
図１は、本発明の画像再生装置の特徴を最もよく表す画像記録再生装置の概略構成を示すブロック図である。
図１において、Ｄ１はデータを記録再生可能なＤＶＤディスク、Ｃ１は被写体を映像信号に変換する撮像部、Ｂ２は各部の制御を行うシステムコントロール部、Ｂ４は撮像部Ｃ１の映像信号の処理を行うカメラ映像信号処理回路である。
【００１３】
Ｂ１はカメラ映像信号処理回路Ｂ４において処理された映像信号、ＤＶＤディスクＤ１から再生された画像データの処理を行う記録再生データ処理回路、Ｂ３は画面表示用の文字信号発生回路、Ｖ１は撮影画像の表示や再生画像の表示を行う液晶パネル、Ｂ５は液晶パネルＶ１に表示するためのデータを蓄積するパネル映像フレームメモリ、Ｖ２は撮影画像の表示や再生画像のビデオ信号の出力を行うビデオ信号出力端子、Ｂ６はビデオ信号出力端子Ｖ２に出力するためのデータを蓄積するラインアウト映像フレームメモリ、Ｍ１／Ｍ２はＤＶＤディスクＤ１の記録再生を行うためのデータメモリ、ＳＷ１〜ＳＷ４は画像記録再生装置の操作を行うための操作スイッチ類であり、選択スイッチＳＷ１、再生実行スイッチＳＷ２、動画確認スイッチＳＷ３等を含んでいる。
【００１４】
図１において、カメラ部において記録時に撮像される画像は、レンズ系を介して撮像装置として設けられているＣＣＤに結像され、電気画像信号に変換される。次に、前記電気画像信号はカメラ映像信号処理回路Ｂ４において所定の撮像処理が施され、画像データとして記録再生データ処理回路Ｂ１により画像データメモリＭ１に記憶されるとともに、液晶パネルＶ１やビデオ信号出力端子Ｖ２に出力される。記録再生データ処理回路Ｂ１は、この画像データメモリＭ１に記憶された画像データに対し、ＭＰＥＧ符号化などの処理を施し、ディスクＤ１に記録する。
【００１５】
また、再生時においては、記録再生データ処理回路Ｂ１によりＤＶＤディスクＤ１から再生された画像データは、復号された後、画像データメモリＭ１に設けられているバッファ１にバファリングされ、再生画像として液晶パネルＶ１に出力されるとともに、ビデオ信号出力としてビデオ信号出力端子Ｖ２に出力される。図６に示すように、映像信号の再生処理においては、各フィールドにおける第１の期間にバッファ１の再生処理（書き込み及び読み出し）を行い、第２の期間にバッファ２の再生処理を行うようにしている。すなわち、本実施の形態の画像記録再生装置においては、映像信号の単位時間において時分割処理を行うことにより、単一の再生回路にて複数の映像信号を生成することを可能としている。
【００１６】
前述のように時分割処理を行うことにより、前記バッファ１にバッファリング中にバッファ２へも別の画像データを読み込むことが可能であり、バッファ２へ読み込まれた画像データを再生画像として、液晶パネルＶ１またはビデオ信号出力端子Ｖ２へ選択的に出力することができる。
【００１７】
本実施の形態においては、ビデオ信号用のフレームメモリを使用した構成にて説明を行うが、前記画像データメモリＭ１におけるバッファ１及びバッファ２に保持される画像データを、ビデオ信号に変換してフレームメモリＢ５、Ｂ６に蓄積することなく、液晶パネルＶ１及びビデオ信号出力端子Ｖ２に出力して表示することも可能である。
【００１８】
図２に示すように、液晶パネルＶ１及びテレビモニタＴＶに別々の動画像を表示するようにするために、前記バッファ１及びバッファ２と、パネル映像フレームメモリＢ５、ラインアウト映像フレームメモリＢ６の切り替えにより行うようにしている。
【００１９】
図６において、映像信号における１フィールドにての処理においては、１フィールドを時分割し、図６における第１の期間にてＤＶＤディスクＤ１から読み込まれたデータであるバッファ１におけるデータの再生処理を行い、第２の期間にてＤＶＤディスクＤ１から読み込まれたデータであるバッファ２おけるデータの再生処理を行うようにしている。
【００２０】
図１に示すＤＶＤディスクＤ１から読み込まれた第１の動画像は、バッファ１に随時蓄積されるとともに、第２の動画像はバッファ２へ随時蓄積される。バッファ１へ蓄積された動画像データはビデオ信号に変換された後でラインアウト映像フレームメモリＢ６に蓄積され、ビデオ信号としてビデオ信号出力端子Ｖ２を介して、テレビモニタＴＶ等の外部機器に出力される。また、バッファ２へ蓄積された動画像データはビデオ信号に変換されてパネル映像フレームメモリＢ５に蓄積され、液晶パネルＶ１へ表示される。
【００２１】
本実施の形態においては、前述したように、液晶パネルＶ１へ供給するビデオ信号及びビデオ信号出力端子Ｖ２へ供給するビデオ信号を別々に生成しているので、前記液晶パネルＶ１の画面表示と前記ビデオ信号出力端子Ｖ２に接続される外部表示装置の画面表示とを独立的に制御することができる。これにより、前記ビデオ信号出力端子Ｖ２を介してラインアウトした本画像を外部表示装置にて鑑賞しているときに、画像再生装置本体に付属している液晶パネルＶ１には、次に再生するデータリストを表示するようにすることが可能となる。
【００２２】
次に、この様にビデオ信号出力端子Ｖ２に接続された外部モニタに再生画像を表示しながら液晶パネルＶ１に再生リストを表示し、次に再生すべき画像データを選択する処理について説明する。
【００２３】
図３は、本実施の形態の画像記録再生装置における再生リストの表示例を示す図である。
図３に示すように、本実施の形態の画像記録再生装置は、ＤＶＤディスクＤ１に記録されている動画像を再生リストとして表示するようにしている。具体的には、動画像に付加されて記録されているサムネール画像（縮小画像）をインデックス表示し、選択アイコンならびに再生画像アイコンを付加することにより、ユーザが画像選択を容易に行うことができるようにしている。
【００２４】
また、図示していないが、画像名称を表示するようにしてもよい。さらに、再生画像データに画像情報を重畳して再生リストを作成するようにしてもよい。このような再生リストは、前記ＤＶＤディスクＤ１内に予め記録しておき、それを読み出すようにしてもよい。
【００２５】
図４は、本実施の形態の画像記録再生装置の効果を示す表示例であり、端子Ｖ２に接続されたテレビモニタＴＶにて動画像を鑑賞中に液晶パネルＶ１（ＬＣＤパネル）にて再生リストの表示を行い、選択確認操作を液晶パネルＶ１において行えることを示している。図４において、液晶パネルＶ１に表示される表示画面をＬＣＤ１〜ＬＣＤ４として示している。
【００２６】
図５は、本発明を実施した画像記録再生装置の制御を行うシステムコントロール部Ｂ２のマイクロコンピュータ（マイコン）Ｂ２１の動作例を説明するフローチャートである。以下、このフローチャートに従い、図１の画像記録再生装置の図４における再生リスト選択動作を説明する。
【００２７】
動画再生を行うことにより、ＤＶＤディスクＤ１から読み込まれた動画再生データは、バッファ１へ随時蓄積されるとともに、バッファ１に蓄積された動画像データはビデオ信号に変換され、ラインアウト映像フレームメモリＢ６およびパネル映像フレームメモリＢ５に蓄積され、テレビモニタＴＶへビデオ信号として出力されて表示される（図４には表示画面Monitor１としている）とともに、液晶パネルＶ１へ出力されて表示される（図４には表示画面LCD１としている）。
【００２８】
前記の状態にてプレイリストの操作が行われると、最初のステップＳ０１において、ディスク情報の読み込みが行われる。
次に、ステップＳ０２において、サムネール画像をディスク情報バッファメモリ（図１のＭ２）への読み込みが行われる。
【００２９】
次に、ステップＳ０３に進み、ディスク情報バッファメモリＭ２に読み込まれたデータによりプレイリストを作成し、現在再生中の画像アイコン・選択アイコンを付加する処理を行う。
その後、ステップＳ０４に進み、前記ステップＳ０３にて処理したデータをパネル映像フレームメモリＢ５に蓄積する。前記パネル映像フレームメモリＢ５に蓄積されたデータが、１フレームのビデオ信号として液晶パネルＶ１へ出力されて表示される（図３及び図４には、表示画面をLCD2としている）。
【００３０】
次に、ステップＳ０５に進み、操作スイッチＳＷの状態検出を行う。この検出の結果、選択スイッチＳＷ１が操作されたのを検出すると、ステップＳ０６に進み、選択アイコンを選択画像に付加し、その後ステップＳ０４へ分岐する。
【００３１】
また、動画確認スイッチＳＷ３が操作されたのを検出した場合には、ステップＳ０９に進み、ＤＶＤディスクＤ１から再生した動画データをバッファ２へ随時書き込みを行うとともに、パネル映像フレームメモリＢ５に蓄積した後、１フレームのビデオ信号として液晶パネルＶ１へ出力して画像表示する（図４には、表示画面LCD3としている）。
【００３２】
次に、ステップＳ１０に進み、動画確認中に操作スイッチの操作状態を検出し、選択スイッチＳＷ１が操作されたのを検出するとステップＳ０３に分岐し、液晶パネルＶ１にプレイリストを再度表示する。また、再生実行スイッチＳＷ２が操作されたのを検出した場合にはステップＳ０７に進む。
【００３３】
また、ステップＳ０５のスイッチ検出の結果、再生実行スイッチＳＷ２の操作を検出した場合には、ステップＳ０７に進み、選択された動画像をＤＶＤディスクＤ１から読み込んでバッファ１に随時蓄積する。
【００３４】
次に、ステップＳ０８に進み、バッファ１に蓄積された動画像データをビデオ信号に変換し、ラインアウト映像フレームメモリＢ６及びパネル映像フレームメモリＢ５に蓄積する。その後、ビデオ信号出力端子Ｖ２に接続されたテレビモニタＴＶへビデオ信号として出力して表示する（図４には、表示画面をMonitor2としている）とともに、液晶パネルＶ１へ出力して画像表示する（図４には、表示画面をLCD4としている）。
【００３５】
前述したように、本実施の形態の画像記録再生装置においては、本画像をラインアウトして外部のテレビモニタＴＶにて動画像を鑑賞できるようにするとともに、付属の液晶パネルＶ１には、前記テレビモニタＴＶの表示画面とは独立した別の表示画面として、プレイリストを表示できるようにしているので、次に再生する動画像を前記液晶パネルＶ１上にて選択することができる。これにより、テレビモニタＴＶで行っている動画鑑賞を中断することなく、液晶パネルＶ１に表示される再生リストの中から次に再生する映像を容易に選択して確認することができる。
【００３６】
なお、前述した実施の形態においては、動画像を再生してテレビモニタＴＶに表示させる例を説明したが、例えば、デジタルカメラで撮影した静止画像をテレビモニタＴＶに表示して鑑賞する場合にも本発明を同様に適用することができる。
【００３７】
（本発明の他の実施形態）
前述した実施形態の機能を実現するべく各種のデバイスを動作させるように、前記各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００３８】
また、この場合、前記ソフトウェアのプログラムコード自体が前述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００３９】
また、コンピュータが供給されたプログラムコードを実行することにより、前述の実施形態の機能が実現されるだけでなく、そのプログラムコードがコンピュータにおいて稼働しているＯＳ（オペレーティングシステム）あるいは他のアプリケーションソフト等と共同して前述の実施形態の機能が実現される場合にもかかるプログラムコードは本発明の実施形態に含まれる。
【００４０】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施形態の機能が実現される場合にも本発明に含まれる。
【図面の簡単な説明】
【００４１】
【図１】本発明の第１の実施の形態を示し、画像記録再生装置の概略構成を示すブロック図である。
【図２】本発明の第１の実施の形態を示し、画像記録再生装置の効果例を示す図である。
【図３】本発明の第２の実施の形態を再生リストの表示例を示す図である。
【図４】本発明の第２の実施の形態を示し、液晶パネル及びテレビモニタの表示例を示す図である。
【図５】本発明の第２の実施の形態を示し、マイコンで行う処理の一例を説明するフローチャートである。
【図６】本発明の実施の形態を示す映像信号に期間内の再生処理例を示す図である。
【符号の説明】
【００４２】
Ｃ１  撮像装置
Ｂ１  記録再生データ処理回路
Ｂ２  システムコントローラー
Ｂ３  文字信号発生回路
Ｂ４  映像信号処理回路ブロック
Ｂ５  パネル映像フレームメモリ
Ｂ６  ラインアウト映像フレームメモリ
Ｖ１  液晶パネル
Ｖ２  ビデオ信号出力端子
Ｍ１  画像データメモリ
Ｍ２  ディスク情報データメモリ
Ｄ１  ＤＶＤディスク
ＳＷ１〜ＳＷ４  操作スイッチ
【図１】
2005198165.tif 000003
【図２】
2005198165.tif 000004
【図３】
2005198165.tif 000005
【図４】
2005198165.tif 000006
【図５】
2005198165.tif 000007
【図６】
2005198165.tif 000008